(57)【要約】【課題】各アンテナで受信した受信信号を合成して出力するダイバーシチ方式受信装置において、一方のアンテナで受信した受信信号の位相をもう一方のアンテナで受信した受信信号の位相に合わせるための位相補正量が所定量以上のとき、受信エラーを発生させないようにする。【解決手段】一方のアンテナで受信した受信信号の位相をもう一方のアンテナで受信した受信信号の位相に合わせるための位相補正量が所定量以上のとき、両受信信号の合成出力のプリアンブル期間にプリアンブルパルスＰｒを位相制御器１０３に出力することにより、位相制御器１０３は、プリアンブル期間、即ち、データシンボル期間以外の期間に可変移相器１０１に位相補正を行わせるよう制御する。【選択図】図１
2006238222.tif 000002
【特許請求の範囲】
【請求項１】
プリアンブル期間を有する受信信号を受信するダイバーシチ方式受信装置の受信信号位相制御方法において、
一方の受信信号の位相を補正する際。受信した上記各受信信号の合成出力に基づいて位相補正量を決定し、該決定した位相補正量が所定量以上のとき、上記合成出力のプリアンブル期間で位相補正を行うことを特徴とする受信信号位相制御方法。
【請求項２】
プリアンブル期間を有する受信信号を受信するダイバーシチ方式受信装置において、
一方の受信信号の位相を補正する位相補正部と、受信した上記各受信信号の合成出力に基づいて決定した位相補正量で位相補正をするよう上記位相補正部を制御する制御部と、該制御部への上記合成出力のプリアンブル期間もしくは非プリアンブル期間を報知する報知手段を備え、位相補正量が所定量以上のとき、上記プリアンブル期間で位相補正を行うように構成したことを特徴とするダイバーシチ受信装置。
【発明の詳細な説明】
【技術分野】
【０００１】
本発明は、ダイバーシチ方式で受信する受信装置に係り、更に詳しくは、受信装置で受信した各受信信号の合成出力に基づく受信信号の位相補正に関するものである。
【背景技術】
【０００２】
テレビ放送の放送電波は、山の頂上付近に設置された送信所を経由して、スタジオのあるテレビ局から各一般家庭へ伝送される。このスタジオ（Studio）、送信所（Transmitter）間を繋ぐ伝送装置をＳＴＬ（Studio to transmitter link）と呼ぶ。このＳＴＬ装置は、一般家庭への放送電波を伝送する重要な装置であり、変調を行う送信制御部、マイクロ波に変換して送信する送信高周波部等から構成される送信装置と、送信装置からのマイクロ波を受信する受信高周波部、復調を行う受信制御部等から構成される受信装置とを有している。
【０００３】
図１１は、従来の一例であるＳＴＬ装置の構成を示すブロック図である。このブロック図では二重系で示しているが一重系でも良い。スタジオのテレビカメラ等で撮像された映像信号は、外部の符号化部、例えば、ＭＰＥＧ（Moving Picture Experts Group）−２方式の符号化処理部（図示せず）でＴＳ（Transport Stream）形式のデジタル信号（以下、ＴＳ信号と称する）に変換されて送信制御部１ａ、１ｂに入力される。送信制御部１ａ、１ｂは、所定の変調方式（例えば、シングル６４ＱＡＭ（quadrature amplitude modulation）方式）で変調を施し、例えば、１３０ＭＨｚのＩＦ（intermediate frequency）信号（中間周波数信号）を出力する。ＩＦ信号は、送信高周波部２ａ、２ｂに伝送されると、プリアンブル信号が挿入され、マイクロ波帯のＲＦ（Radio Frequency）信号（無線周波数信号）に変換され、電力増幅され、切換器５に出力される。なお、プリアンブル信号とは、受信装置において、データシンボルのサンプルタイミングの決定や、伝送によって生じた波形歪を補正するために利用される信号である。制御部３は計４つの機器（送信制御部１ａ、１ｂ、送信高周波部２ａ、２ｂ）の動作状態の良否を示すＡＬ信号（ＡＬ１〜ＡＬ４）をもとに、異常の無い系を判定し、この判定結果に基づいて選択した系のマイクロ波出力を送信するための制御信号ＳＥＬを切換器５へ伝送する。切換器５は制御信号ＳＥＬに従い、異常のない系の信号を送信アンテナ６へ出力する。
【０００４】
送信アンテナ６からのマイクロ波は、スタジオから数ｋｍから数十ｋｍ離れた山の頂上付近に設置された送信所の受信アンテナ７ａ、７ｂへ伝送される。なお、送信所に設置される受信装置は、ダイバーシチ方式受信装置であり、２つの受信アンテナ（受信アンテナ７ａと受信アンテナ７ｂ）間の距離は半波長となるように設置される。２つの受信アンテナ間の距離が半波長であることにより、一方のアンテナで受信した受信信号が反射波によって減衰しても、もう一方のアンテナで受信した受信信号は減衰されていないため、１つの受信アンテナで受信する場合に比べて、反射波による受信信号レベルの低減を除去することができる。更に、一方の受信信号の位相を、もう一方の受信信号の位相と一致するように補正して合成する（受信信号の合成については、後述する）ことで、合成後の信号レベルを１つの受信アンテナの受信信号レベルよりも大きくすることができる。
【０００５】
受信アンテナ７ａ、７ｂからの受信信号はそれぞれ分配器８ａ、８ｂで２系統化されて出力される。２系統化された受信信号の内、一方は受信高周波部９ａに、もう一方は、受信高周波部９ｂに入力される。受信高周波部９ａ、９ｂは、アンテナ７ａで受信した受信信号とアンテナ７ｂで受信した受信信号をそれぞれ合成し（受信信号の合成については、後述する）、更に、両受信信号の合成出力を、例えば１３０ＭＨｚ前後のＩＦ信号に変換して、受信制御部１０ａ、１０ｂに出力する。受信制御部１０ａ、１０ｂは、所定の復調方式（例えば、シングル６４ＱＡＭ方式）によって復調を施し、元のＴＳ信号に戻して出力する。制御部１３は計４つの機器（受信高周波部９ａ、９ｂ、受信制御部１０ａ、１０ｂ）の動作状態の良否を示すＡＬｒ信号（ＡＬｒ１〜ＡＬｒ４）をもとに、異常の無い系を判定し、この判定結果に基づいて選択した系のＴＳ信号を出力させるための制御信号ＳＥＬｒを切換器１１へ伝送する。切換器１１は制御信号ＳＥＬｒに従い、異常のない系のＴＳ信号を出力する。なお，図１１には記載されていないが、このＴＳ信号が一般家庭向け送信用の大電力送信装置に伝送されることにより、一般家庭に向けて送出される放送電波となって大電力送信装置から送信される。
【０００６】
次に、ダイバーシチ方式受信装置での受信信号の合成について、図１２を用いて説明する。図１２は、受信高周波部９ａ、９ｂ内の受信信号合成部の構成を示すブロック図である。各アンテナで受信した受信信号の内、アンテナ７ａで受信した受信信号１は分配器８ａを介して合成器１０２に直接入力されるのに対し、アンテナ７ｂで受信した受信信号２は分配器８ｂだけでなく、可変移相器１０１を介して合成器１０２に入力される。可変移相器１０１では、合成器１０２の合成出力に基づいて位相制御器１０３により制御されることで、受信信号２の位相を受信信号１の位相に合わせるように受信信号２の位相を遅延させている。なお、可変移相器１０１での位相遅延量は、図４の通り、位相制御器１０３出力の制御電圧によって決まる。制御電圧が大きくなるに従って位相遅延量が大きくなるため、可変移相器１０１の位相遅延量が大きいとき、制御電圧を大きく変えることになる。
【０００７】
なお、各アンテナで受信した受信信号を合成するダイバーシチ方式受信装置に関連する公知例として、例えば、下記に記載の特許文献１（特開２００４−１１２１５５号公報）がある。
【特許文献１】特開２００４−１１２１５５号公報
【非特許文献１】テレビジョン放送番組素材伝送用可搬形マイクロ波帯デジタル無線伝送システムの規格ＡＲＩＢ  ＳＴＤ−Ｂ１１
【発明の開示】
【発明が解決しようとする課題】
【０００８】
前述の従来のダイバーシチ方式受信装置では、位相制御器は、例えば、０度〜３５９度の範囲（所定範囲）でしか位相補正できないため、例えば、位相補正される受信信号の位相補正量が３５９度に到達していて、更に、＋１度補正しなければならないとき、位相補正量を３５９度から０度へ−３５９度変化させなければならない。しかし、位相補正量を瞬時に３５９度から０度に変えることは瞬時に実施できないことにより、位相補正が行われるまでの間、両受信信号の位相が一致しない状態で合成して出力するため、この出力を復調する際、マッピング点がずれることで数シンボル期間のコンスタレーションが異常となり、引いては受信エラーの発生を引き起こすという不具合が発生する。
【０００９】
そこで本発明では、受信信号の位相補正量が所定量以上でも、受信エラーを発生することがない受信装置を提供することを目的とする。
【課題を解決するための手段】
【００１０】
本発明は前述の目的を達成するために、プリアンブル期間を有する受信信号を受信するダイバーシチ方式受信装置の受信信号位相制御方法において、受信した上記各受信信号の合成出力に基づいて決定した位相補正量で一方の受信信号の位相を補正する際、該位相補正量が３６０度前後または０度前後で変動したとき、上記合成出力のプリアンブル期間で位相補正を行うようにしたものである。
【発明の効果】
【００１１】
本発明によれば、位相補正量が３６０度前後または０度前後で変動したとき、プリアンブル期間で位相補正を行うようにしたことにより、即ち、データシンボル期間以外の期間で位相補正を行うようにしたことにより、位相補正が行われるまでの期間での両受信信号の位相の不一致による受信エラーの発生を除去することができる。
【発明を実施するための最良の形態】
【００１２】
以下、本発明の一実施例であるダイバーシチ方式受信装置について、図１〜４を用いて説明する。図１は本実施例のダイバーシチ方式受信装置における受信高周波部、受信制御部の主要部構成を示すブロック図、図２は本実施例のダイバーシチ方式受信装置で受信した受信信号のフレーム構成を示す図、図３は受信信号とプリアンブルパルスＰｒのタイムチャートを示す図、図４は制御電圧と可変移相器での位相遅延量との関係を示す図である。各アンテナで受信した受信信号の内、一方の受信アンテナで受信した受信信号１は合成器１０２に直接入力されるのに対し、もう一方の受信アンテナで受信した受信信号２は可変移相器１０１を介して合成器１０２に入力される。可変移相器１０１では、合成器１０２の合成出力に基づいて位相制御器１０３により制御されることで、受信信号２の位相を受信信号１の位相に合わせるように受信信号２の位相を遅延させている。なお、可変移相器１０１での位相遅延量は、図４の通り、位相制御器１０３出力の制御電圧によって決まる。制御電圧が大きくなるに従って位相遅延量が大きくなるため、可変移相器１０１の位相遅延量が大きいとき、制御電圧を大きく変えることになる。例えば、受信信号２の位相（可変移相器１０１の入力段での位相）が今までの調整によってすでに可変位相器１０１の位相補正量が３５９度となっていたとする。即ち、受信信号２の位相の制御に、もう＋１度補正したくても、最大３５９度までしか補正できないため、可変位相器１０１の位相を３５９度遅らせなければならないため、図４より、制御電圧は３５．９Ｖとなる。しかし、受信信号２の位相（可変移相器１０１の入力段での位相）が受信信号１の位相よりも３５９度進んでいる状態から受信信号１の位相と一致した状態に変化したとき、図４より、制御電圧は３５．９Ｖから０Ｖに変える必要がある。しかし、制御電圧を３５．９Ｖから０１Ｖに変えても瞬時に位相遅延量を３５９度から０度に変えることができない。その結果、位相遅延量が変わるまでの間、受信信号１の位相と受信信号２の位相とが一致していないにもかかわらず、両受信信号が合成器１０２で合成されて出力される。この出力を復調部１０４で復調する際、前述の位相ずれにより、マッピング点がずれることでコンスタレーションが異常となることによって発生する受信エラーをなくすようにする必要がある。そこで、受信信号１、２が、例えば、送信装置でシングル６４ＱＡＭ変調された信号である場合、非特許文献１（テレビジョン放送番組素材伝送用可搬形マイクロ波帯デジタル無線伝送システムの規格ＡＲＩＢ  ＳＴＤ−Ｂ１１）に記載されているが、図２の通り、１フレームが１９２００シンボル（symbols）から成り、波形等化用基準信号が重畳されるプリアンブル期間（２５６シンボル）、データ期間およびスタッフィング領域から構成されているため、合成器１０２の出力信号のデータ期間ではなくプリアンブル期間に位相遅延量を変えることにより、受信エラーを引き起こさないようにする。なお、プリアンブル期間に重畳される信号は、前述の通り、波形等化用基準信号、即ち、等化処理の粗調整に用いる信号が重畳されることにより、プリアンブル期間（２５６サンプル）の数サンプルが異常となっても、受信エラーを引き起こすことがない。そこで、図１、３の通り、復調器１０４においてプリアンブル期間であるか否かを示す信号を、例えばパルスで出力する（例えば、プリアンブル期間のときはＨ、データ期間（スタッフィング領域も含める）のときはＬでする）ことで、プリアンブル期間であるか否かを示す信号（以下、プリアンブルパルス信号Ｐｒと称する）に基づいて、位相制御器１０３は可変移相器１０１の位相遅延量を変えるタイミングを制御することにより、前述の受信エラーをなくすことができる。
【００１３】
以下、位相制御器１０３の動作について、図５を用いて説明する。図５は、位相制御器の動作を示すフローチャートである。合成器１０２の合成出力から受信信号１と受信信号２の位相が一致しているか否かを判定し（ステップ５０１）、両受信信号の位相が一致していなければ、受信信号２の位相遅延量を算出する（ステップ５０２）。算出した位相遅延量が３５９度を超えたか否かを判定し（ステップ５０３）、３５９度を超えていない場合には制御電圧を出力する（ステップ５０４）。逆に３５９度を超えている場合、プリアンブルパルスＰｒが入力されているか否かを検知する（ステップ５０５）。プリアンブルパルスＰｒが入力されているのならば、位相遅延量に対応する制御電圧を可変移相器１０１に出力する（ステップ５０６）。逆に、プリアンブルパルスＰｒが入力されていないのであれば、待ち受け状態となる（ステップ５０７）。そして、プリアンブルパルスＰｒが入力される（ステップ５０８）と、制御電圧を出力する（ステップ５０９）。
【００１４】
以下、プリアンブルパルス信号Ｐｒを出力する復調器の構成、動作について、図１、６を用いて説明する。図６は復調器の構成を示すブロック図である。合成器１０２の合成出力は周波数変換部１０５で、例えば、１３０ＭＨｚのＩＦ信号に変換されて復調部１０４に入力される。このＩＦ信号が復調部１０４に入力されると、等化部６０１とプリアンブル抽出部６０３に入力される。プリアンブル抽出部６０３では、ＩＦ信号からプリアンブル期間に重畳された波形等化信号を抽出すると共に、プリアンブル期間にプリアンブルパルス信号Ｐｒを位相制御器１０３に出力する。このプリアンブルパルス信号Ｐｒを位相制御器１０３に出力することで、前述の位相制御器１０３の動作説明により、受信信号２の位相遅延量が所定量（例えば、３００度）以上のとき、プリアンブル期間においてのみ、位相遅延量に対応する制御電圧を可変移相器１０１に出力することで可変移相器１０１を制御する。プリアンブル抽出部６０３で抽出された波形等化信号は等化計算部６０４に入力されると、等化部６０１で等化処理を行うために必要な等化演算を行って等化部６０１に出力する。等化部６０１ではＩＦ信号の等化処理を行い、復調部６０２で誤り内訂正、所定の復調モード（例えば、６４ＱＡＭ方式）で復調して出力する。復調部６０２からの出力信号は、下記の通り、操作部で設定された誤り訂正外処理の有無、逆スタッフィング処理の有無に従って、所定の処理がなされることで放送ＴＳ信号を生成して出力する。
【００１５】
以下、放送ＴＳ信号の生成について、図７を用いて説明する。図７は受信制御部の構成を示すブロック図である。復調部７０１が前述のプリアンブルパルス信号Ｐｒを出力する復調器である。復調部７０１の後段には、誤り訂正外処理部７０２と逆スタッフィング部７０３があり、この誤り訂正外処理部７０２と逆スタッフィング部７０３には、操作部（図示せず）からの代替モード信号が入力される。この代替モード信号には、操作部で設定された誤り訂正外処理の有無情報、逆スタッフィング処理の有無情報が重畳される。なお、逆スタッフィング処理の有無については、非特許文献１（テレビジョン放送番組素材伝送用可搬形マイクロ波帯デジタル無線伝送システムの規格ＡＲＩＢ  ＳＴＤ−Ｂ１１）により、図９の通り、伝送ビットレートによってダミーデータが挿入されて伝送されたか否かが決まるため、ダミーデータを挿入して伝送する伝送ビットレートに操作部で設定された場合、ダミーデータを除去する処理、即ち、逆スタッフィング処理を行う。一方、ダミーデータを挿入しないで伝送する伝送ビットレートに操作部で設定された場合、逆スタッフィング処理は行わない。この誤り訂正外処理の有無情報、伝送ビットレートによって決まる逆スタッフィング処理の有無情報に従って、誤り訂正外処理部７０２、逆スタッフィング処理部７０３は動作するため、誤り訂正外処理を行うよう設定されたときのみ誤り訂正外処理部７０２による誤り訂正外処理を行い、逆スタッフィング処理を行う伝送ビットレートに設定されたときのみ逆スタッフィング処理を行う。従って、操作部で設定された誤り訂正外処理の有無、伝送ビットレートに従って、所定の信号処理がなされる。
【００１６】
以上のように、本実施例のダイバーシチ方式受信装置では、両受信信号を合成して出力するために両受信信号の位相を一致させなければならないが、位相を一致させるために一方の受信信号の位相を所定値（例えば、３００度）以上遅延させなければならないとき、プリアンブル期間で位相遅延を行わせるよう制御するようにしたため、受信エラーの発生を防ぐことができる。更に、操作部で設定された誤り訂正外処理の有無、伝送ビットレートに従って、信号処理が行われる。なお、本実施例のダイバーシチ方式受信装置の相手局である送信装置についても、同様にして、下記に記載の通り、操作部で設定した伝送ビットレート、誤り訂正外符号の付加有無に従って、信号処理が行われる。
【００１７】
以下、送信装置の構成、動作について、図８を用いて説明する。図８は、送信制御部の構成を示すブロック図である。放送ＴＳ信号は送信制御部に入力されると、スタッフィング部８０１では、非特許文献１（テレビジョン放送番組素材伝送用可搬形マイクロ波帯デジタル無線伝送システムの規格ＡＲＩＢ  ＳＴＤ−Ｂ１１）により、図９の通り、伝送ビットレートによってダミーデータの挿入の有無が決まるため、操作部で設定された伝送ビットレートがダミーデータを挿入する必要がある伝送ビットレートに設定された場合、ダミーデータが挿入されて誤り訂正外符号化部８０２、システムクロック生成部８０３に出力される。一方、操作部で設定された伝送ビットレートがダミーデータを挿入する必要の無い伝送ビットレートに設定された場合、ダミーデータを挿入することなく、入力された放送ＴＳ信号をそのまま誤り訂正外符号化部８０２、システムクロック生成部８０３に出力する。なお、操作部からは伝送ビットレートによって決まったダミーデータ挿入の有無情報が代替モード信号に重畳されてスタッフィング部８０１に出力されるため、ダミーデータ挿入の有無情報に従って、スタッフィング部８０１は動作する。誤り訂正外符号化部８０２では、操作部で誤り訂正外符号（リードソロモン符号）を付加するよう設定された場合、誤り訂正外符号をスタッフィング部８０１の出力信号に付加してメモリ８０４に出力する。一方、操作部で誤り訂正外符号を付加しないよう設定された場合、誤り訂正外符号を付加しないでスタッフィング部８０１からの出力信号をそのままメモリ８０４に出力する。なお、操作部からは誤り訂正外符号付加有無情報が代替モード信号に重畳されて誤り訂正外符号化部８０２に出力されるため、誤り訂正外符号付加有無情報に従って、誤り訂正外符号化部８０２は動作する。以上のように、操作部で設定した伝送ビットレート、誤り訂正外符号の付加有無に従って、信号処理が行われる。
【００１８】
システムクロック生成部８０３は、スタッフィング部８０１の出力信号はダミーデータが挿入されているか否かにかかわらず放送ＴＳ信号であることにより、図１０の通り、ヘッダ情報領域とペイロード情報領域とから構成される複数のＴＳパケットが時間軸上に並べられていると共にヘッダ情報領域の先頭には同期バイトを有しているため、一定間隔で出力される同期バイトをスタッフィング部８０１の出力信号から抽出する。そして、抽出した同期バイトに同期したシステムクロックを生成してＰＬＬ（Phase Locked Loop）−ＶＣＯ（voltage controlled oscillator）８０５に出力する。ＰＬＬ−ＶＣＯ８０５は、システムクロックの周波数に一致された（ロックされた）周波数のクロックをコントローラ８０６、変調部８０９に出力する。コントローラ８０６はＰＬＬ−ＶＣＯ８０５からのクロックに同期してプリアンブル期間にＨとなる制御信号を、メモリ８０４、プリアンブル発生器８０７、選択器８０８に出力する。メモリ８０４に入力された放送ＴＳ信号（スタッフィング部８０１、誤り訂正外符号化処理部８０２を介して入力された放送ＴＳ信号）は、コントローラ８０６の制御により、プリアンブル期間を除く期間（制御信号のレベルがＬとなる期間）に時間圧縮されて選択器８０８に出力される。一方、プリアンブル発生器８０７で生成されたプリアンブル信号は、コントローラ８０６の制御により、プリアンブル期間（制御信号のレベルがＨとなる期間）に選択器８０８に出力される。そして、選択器８０８もコントローラ８０６の制御により、プリアンブル期間を除く期間では時間圧縮された放送ＴＳ信号が出力され、プリアンブル期間ではプリアンブル信号が出力される。その結果、選択器８０８からはプリアンブル信号が挿入された放送ＴＳ信号が変調部８１０に出力される。変調部８０９は、プリアンブル信号が挿入された放送ＴＳ信号を、誤り訂正内符号を付加し、所定の変調方式（例えば、シングル６４ＱＡＭ変調方式）で変調を行うことにより、例えば１３０ＭＨｚのＩＦ信号に変換して送信高周波部に出力する。そして、前述の本実施例のダイバーシチ方式受信装置の動作説明より、送信高周波部より受信した受信信号は各アンテナで受信された後、合成して出力するが、各アンテナで受信した受信信号の位相を一致させるために一方の受信信号の位相を所定値（例えば、３００度）以上遅延させなければならないとき、送信装置で重畳されたプリアンブル信号が挿入されている期間、即ち、プリアンブル期間で位相遅延を行わせるよう制御する。
【図面の簡単な説明】
【００１９】
【図１】本発明の一実施例であるダイバーシチ方式受信装置における受信高周波部、受信制御部の主要部構成を示すブロック図。
【図２】本発明の一実施例であるダイバーシチ方式受信装置で受信した受信信号のフレーム構成を示す図。
【図３】受信信号とプリアンブルパルスＰｒのタイムチャートを示す図。
【図４】制御電圧と可変移相器での位相遅延量との関係を示す図。
【図５】本発明の一実施例であるダイバーシチ方式受信装置の位相制御器の動作を示すフローチャート。
【図６】本発明の一実施例であるダイバーシチ方式受信装置の復調器の構成を示すブロック図。
【図７】本発明の一実施例であるダイバーシチ方式受信装置の受信制御部の構成を示すブロック図。
【図８】本発明の一実施例であるダイバーシチ方式受信装置の相手局である送信装置の送信制御部の構成を示すブロック図。
【図９】伝送ビットレートとダミーデータ挿入有無との関係を示す図。
【図１０】ＴＳパケットの構成を示す図。
【図１１】従来の一例であるＳＴＬ装置の構成を示すブロック図。
【図１２】従来の一例であるダイバーシチ方式受信装置における受信高周波部の受信信号合成部の構成を示すブロック図。
【符号の説明】
【００２０】
１ａ、１ｂ：送信制御部           ２ａ、２ｂ：送信高周波部
３：制御部                       ５：切換器
６：送信アンテナ                 ７ａ、７ｂ：受信アンテナ
８ａ、８ｂ：分配器               ９ａ、９ｂ：受信高周波部
１０ａ、１０ｂ：受信制御部              １１：切換器
１３：制御部                            １０１：可変移相器
１０２：合成器                   １０３：位相制御器
１０４：復調器                   １０５：周波数変換部
１０６：受信高周波部                    １０７：受信制御部
５０１〜５０９：フローチャートのブロック
６０１：等化部                   ６０２：復調部
６０３：プリアンブル抽出部              ６０４：等化計算部
７０１：復調部                   ７０２：誤り訂正外処理部
７０３：逆スタッフィング部              ８０１：スタッフィンブ部
８０２：外符号化部               ８０３：クロック生成部
８０４：メモリ                   ８０５：ＰＬＬ−ＶＣＯ
８０６：コントローラ                    ８０７：プリアンブル発生器
８０８：選択器                   ８０９：変調部
【図１】
2006238222.tif 000003
【図２】
2006238222.tif 000004
【図３】
2006238222.tif 000005
【図４】
2006238222.tif 000006
【図５】
2006238222.tif 000007
【図６】
2006238222.tif 000008
【図７】
2006238222.tif 000009
【図８】
2006238222.tif 000010
【図９】
2006238222.tif 000011
【図１０】
2006238222.tif 000012
【図１１】
2006238222.tif 000013
【図１２】
2006238222.tif 000014